(57)【要約】【課題】  これまでの靴下は一般的に、足首から先のウォーム効果が不十分、水虫対策が出来ていない、５本指付は脱ぎ履きが煩わしい等の課題があり、更に足指を広げて健康促進に寄与する機能面にも課題がある。【解決手段】  足先の親指部分のみを、つま先から親指に沿った形で親指股底（４）までを包み込む親指１本指部（２）を靴下の足先に設ける。前記親指股（４）と連結して、親指以外の４本の足指を指の根元からつま先まで全てまとめて外部に露出させるための空洞を形成する開放口（３）を設ける。前記開放口（３）が、親指股底（４）と小指外側の付根（５）との間を周回して前記４本の足指をとり囲む構成で設けられた親指１本指付靴下（１）を提供する。次に、前記親指１本指部（２）に加えて、小指１本指部（７）を前記親指１本指部（２）と同形態で具備し、その間の３本の足指をまとめて外部に露出させる空洞を形成する開放口（３）を設けた２本指付靴下（６）を提供する。以上、２種類の部分指付靴下を提供する。【選択図】図１
2022000549.tif 000002
【特許請求の範囲】
【請求項１】
足に履く靴下であって、親指のみを包み込む親指１本指部（２）と、３本以上の指をまとめて外部に露出するための開放口（３）とを備える部分指付靴下。
【請求項２】
前記親指１本指部（２）に加えて、小指１本指部（７）を備えた請求項１に記載の靴下。
【発明の詳細な説明】
【技術分野】
【０００１】  本発明は、主に睡眠時や居住用室内において冷え症対策や水虫対策で足に履いて使用する用具に関する。
【背景技術】
【０００２】  従来のレッグウォーマーや靴下は、ふくらはぎから上を包み込む物、足の甲からふくらはぎ全体を包み込む物、足指全指を包み込む物、５本指付の物、２本指の足袋またはミトンのような物、及び足指全指を露出される物等が一般的に知られている。
【先行技術文献】
【特許文献】
【０００３】
【特許文献１】特開２００４−４４０４８号  公報
【特許文献２】特開平１１−３２３６０８号  公報
【特許文献３】特公昭４７−２３１１１号  公報
【実用新案文献】
【０００４】
【実用新案文献１】
実開昭５３−１４６４２９号のマイクロフィルム
【実用新案文献２】
実公昭１０−７４８号  公報
【実用新案文献３】
実公昭３７−１７３５０号  公報
【実用新案文献４】
実開昭５８−１８０２２６号  公報
【発明の概要】
【発明が解決しようとする課題】
【０００５】  これまでは以下のような課題や要望があった。
（イ）ふくらはぎのみを包み込むレッグウォーマーは足首から指先部分が冷えてしまう。
（ロ）足の甲付近からふくらはぎまでを包み込むレッグウォーマーは、睡眠時や歩行時に容易に足首から上部にズレ上るために保温効果が持続しない。
（ハ）５本指付レッグウォーマーや５本指ソックスは、指股が蒸れるために水虫になり易く  かつ脱ぎ履きに手間がかかり煩雑である。
（ニ）足先まで全指を包み込んで履く一般的な靴下は、外出時や室内での長時間の使用により水虫予防に大きな阻害を及ぼす。
（ホ）長時間使用しても水虫になる懸念の少ない靴下が望まれている。
（ヘ）歩行時に両足のバランス保持に寄与する靴下が要望されている。
（ト）着用時に足指が広がり、土踏まずが押し上って浮き指の矯正に資する靴下が要望されている。
（チ）指付靴下であって、指股の部分を外部に露出することで指股の部分を蒸れづらくすることができる靴下が要望されている。
【課題を解決するための手段】
【０００６】  本発明の各実施形態は上記の少なくともいずれか１つの課題を解決するものである。
第１の実施形態の親指１本指付靴下（１）は、主に冷え症対策や水虫対策用として使用される靴下であって、足指５本の内親指１本のみを包み込む親指１本指部（２）が設けられると共に、連結して空洞を形成する開放口（３）が設けられ、前記開放口（３）は親指股底（４）から小指外側の付根（５）との間を周回して、親指以外の４本の足指をとり囲んで指股から指先までをまとめて外部に露出させるように設定された構成を有することを特徴とする。水虫対策に関係なく外出時に着用して良く、また開放口（３）の縁どり部分はサポートゴム糸等の弾力性ある素材で補強されていてもよい。
第２の実施形態の２本指付靴下（６）は、第１の実施形態の親指１本指付靴下（１）において、更に小指１本指部（７）を設けると共に、中３本の足指を全て外部に露出させる開放口（３）が設けられた構成を有することを特徴とする。
【図面の簡単な説明】
【０００７】
【図１】  親指１本指付靴下を履いた左足先の平面図
【図２】  親指１本指付靴下を履いた左足先の底面図
【図３】  親指１本指付靴下を履いた左足先の参考斜視図
【図４】  ２本指付靴下を履いた左足先の平面図
【発明を実施するための形態】
【０００８】  本発明は主に冷え症や水虫に対応するもので、従来に比べてその使用効果を大きく向上させる靴下を提供する。
後記の第１の実施形態は、指の股の部分を覆わずに外部に開放することで、指の股の部分を蒸れづらくすることができ、これによって水虫の防止をさらに効果的に行うことができる。
第２の実施形態は、水虫防止の効用に加えて、親指と小指の２箇所に１本指部（２）、（７）を備えることにより、親指と小指が独立して双方向に刺激を与え合うことで足指全体を固まりづらくすることができる。これによって足指が広がる効果が生じるため浮き指の矯正に資することができると考えられる。そして歩行時には、足の親指、小指、かかとの３箇所を使って体を支えると、地面からの体重の衝撃を和げて土踏まずが押し上って歩行が楽になることが一般的に知られている。特に親指と小指は体の前後の揺れを調整して、つまずきを防ぐ働きがあると言われており、これらの点からも２本指付靴下（６）は従来技術と比較して、足のバランス保持に少なからず効果があると考えられる。
従って主たる使用目的に応じて使い分ける２種類の用具であり、以下のような構成を有する。
【０００９】  （第１の実施形態）
靴下は左右１対であるので図面も含めて左足用靴下で説明する。
まず図（１）を参照して親指１本指付靴下（１）につき記述する。これは従来の５本指付靴下と異り、親指部分のみをしっかり格納する親指１本指部（２）を設ける。前記親指１本指部（２）はつま先から親指に沿った形で親指股底（４）までを包み込んで設けられて、前記親指股底（４）で開放口（３）に連結している。前記開放口（３）は、親指以外の４本の足指全ての指股から指先までをまとめて外部に露出する空洞を形成し、前記親指股底（４）から小指外側の付根（５）との間を周回して、親指以外の４本の足指をとり囲む構成で設けられている。この際、開放口（３）が全体的にかかと方向にズレ上らないように、前記開放口（３）の縁どり部分にはサポートゴム糸等の弾力性ある素材を織り込んで強化し、足回りの締め込みを安定させることが好ましい。
【００１０】  （第２の実施形態）
次に図（４）を参照して２本指付靴下（６）につき記述する。これは冷え症対策、水虫対策に加えて、親指と小指を刺激して足指が広がる効用を目的とする際に使用する。第１の実施形態の親指１本指付靴下（１）において、更に小指部分について小指のつま先の形に沿って小指１本指部（７）を追加して設ける。つまり親指１本指部（１）と小指１本指部（７）の２本指付を設定し、親指股底（４）と小指股底（８）の２箇所で連結している解放口（３）を設ける。前記開放口（３）は、親指と小指にはさまれた３本の足指全ての指股から指先までをまとめて外部に露出する空洞を形成し、前記３本の指を周回してとり囲む形で設けられている。
【符号の説明】
【００１１】  １    親指１本指付靴下
２    親指１本指部
３    開放口
４    親指股底
５    小指外側の付根
６    ２本指付き靴下
７    小指１本指部
８    小指股底
【図１】
2022000549.tif 000003
【図２】
2022000549.tif 000004
【図３】
2022000549.tif 000005
【図４】
2022000549.tif 000006